(57)【要約】    【課題】  本発明は、会議資料等を印刷する際に、当該印刷を担当する担当者が変わっても異なる印刷設定で印刷されることなく、会議出席者等の好みに合わせて印刷することができ、視力の悪い人にも見やすい資料印刷を行うことができる画像形成装置を提供する。    【解決手段】  ＭＦＰ２２０の操作部１４０又はパソコン２１２等を介してユーザＩＤと当該ユーザＩＤに対応する印刷のお好み設定（Ｎｉｎ１印刷、片面／両面印刷等）を事前に記憶部に登録し、当該操作部１４０等から印刷部数及び印字設定と共に入力されたユーザＩＤに応じて、記憶部に登録されたお好み設定を呼び出し、当該お好み設定に基づいて印刷出力を行うと同時に、ユーザＩＤをベイトスタンプする。【選択図】      図５
2006301964.tif 000002
【特許請求の範囲】
【請求項１】
入力された印刷設定情報に基づいて画像を形成する画像形成装置において、
前記画像形成装置のユーザ毎の印刷設定情報を登録する印刷設定情報登録手段と、
前記登録された印刷設定情報に基づいて画像形成処理を行う画像形成手段と、
前記登録された印刷設定情報に基づいて前記画像形成処理が行われるときは、当該形成される画像に当該印刷設定情報に対応するユーザを識別するための所定の画像を付加する画像付加手段とを備えることを特徴とする画像形成装置。
【請求項２】
前記印刷設定情報登録手段は、前記ユーザを特定するユーザＩＤと当該ユーザの印刷設定情報とを関連付けて登録することを特徴とする請求項１記載の画像形成装置。
【請求項３】
前記画像付加手段は、前記ユーザを識別するための所定の画像として、前記ユーザのユーザＩＤを表す文字列に基づく画像を付加することを特徴とする請求項２記載の画像形成装置。
【請求項４】
入力された印刷設定情報に基づいて画像を形成する画像形成装置において、
前記画像中の文字の最小サイズを指定する指定文字サイズ情報を少なくとも含む、前記画像形成装置のユーザ毎の印刷設定情報を登録する印刷設定情報登録手段と、
前記登録された印刷設定情報に基づいて画像形成処理を行う画像形成手段と、
前記画像から文字を検出し、該検出された文字の文字サイズを判定する文字サイズ判定手段と、
前記判定された文字サイズと前記指定文字サイズ情報に指定された文字サイズとを比較する比較手段と、
前記比較手段による比較結果に基づいて、前記登録されたユーザ毎の印刷設定情報に基づく画像形成処理を行うか否かを決定する決定手段とを備えることを特徴とする画像形成装置。
【請求項５】
前記文字サイズ判定手段は、前記画像から検出される文字の文字サイズのうち、最小サイズの文字に基づいて文字サイズを判定することを特徴とする請求項４記載の画像形成装置。
【請求項６】
前記画像に対して前記印刷設定情報に基づく画像形成処理を行った後の文字サイズを判定する他の文字サイズ判定手段と、
前記他の文字サイズ判定手段により判定された文字サイズと前記指定文字サイズ情報に指定された文字サイズとを比較する他の比較手段と、
前記他の比較手段による比較結果に基づいて、前記登録されたユーザ毎の印刷設定情報に基づく画像形成処理を行うか否かを決定する他の決定手段とを備えることを特徴とする請求項４又は５記載の画像形成装置。
【請求項７】
前記画像形成手段は、前記登録されたユーザ毎の印刷設定情報に基づいて画像形成処理を行わないことが決定されたときは、前記ユーザ毎の印刷設定情報のうち、前記画像形成処理の結果画像の文字サイズを縮小することが設定された設定情報を無視して画像形成処理を行うことを特徴とする請求項４乃至６のいずれか１項に記載の画像形成装置。
【請求項８】
前記印刷設定情報は、変倍率の設定、Ｎｉｎ１印刷の設定、片面／両面印刷の設定の少なくとも一つを含むことを特徴とする請求項４乃至７のいずれか１項に記載の画像形成装置。
【請求項９】
入力された印刷設定情報に基づいて画像を形成する画像形成装置の制御方法において、
前記画像形成装置にユーザ毎の印刷設定情報を登録する印刷設定情報登録工程と、
前記登録された印刷設定情報に基づいて画像形成処理を行う画像形成工程と、
前記登録された印刷設定情報に基づいて前記画像形成処理が行われるときは、当該形成される画像に当該印刷設定情報に対応するユーザを識別するための所定の画像を付加する画像付加工程とを備えることを特徴とする画像形成装置の制御方法。
【請求項１０】
入力された印刷設定情報に基づいて画像を形成する画像形成装置の制御方法において、
前記画像中の文字の最小サイズを指定する指定文字サイズ情報を少なくとも含む、前記画像形成装置のユーザ毎の印刷設定情報を登録する印刷設定情報登録工程と、
前記印刷設定情報に基づいて画像形成処理を行う画像形成工程と、
前記画像から文字を検出し、該検出された文字の文字サイズを判定する文字サイズ判定工程と、
前記判定された文字サイズと前記指定文字サイズ情報に指定された文字サイズとを比較する比較工程と、
前記比較工程での比較結果に基づいて、前記登録されたユーザ毎の印刷設定情報に基づく画像形成処理を行うか否かを決定する決定工程とを備えることを特徴とする画像形成装置の制御方法。
【請求項１１】
請求項９又は１０記載の画像形成装置の制御方法をコンピュータに実行させるためのプログラム。
【発明の詳細な説明】
【技術分野】
【０００１】
本発明は、画像形成装置及びその制御方法、並びにプログラムに関し、特に、ユーザの好みに応じた印刷出力を行う画像形成装置及びその制御方法、並びにプログラムに関するものである。
【背景技術】
【０００２】
近年、コピー機能を有する複写機に、プリンタ機能、ＦＡＸ送受信機能、スキャン画像の送受信機能、及び電子メールの送受信機能等を加えたマルチファンクションプリンタ（以下、「ＭＦＰ」という）が登場し、ユーザのオフィスワークの作業効率向上や省スペース化が図られている。
【０００３】
ＭＦＰの開発メーカでは、より一層のユーザの作業効率向上を図るためにＭＦＰの多機能化が行われ、最近ではパーソナライズ、カスタマイズ、コンピュータ（以下、「ＰＣ」という）のスケジューラとの連携などが検討されている。
【０００４】
このようなＭＦＰの先行技術として、原稿の各配布先をそれぞれ識別コードに対応させ、その配布先に該当する出力手段を定義する配布先管理テーブルと、任意に選定された複数の配布先を指定する番号に対応してその番号に属する各配先の識別コードを記憶する群番号管理テーブルとを設け、識別コードが入力されると、その番号により指定される配布先を決定すると共に、配布先管理テーブルを参照して各配布先に対し、それぞれ選択された出力手段で、スキャナにより読み取った原稿の画像情報を出力するというものがある（例えば、特許文献１参照）。
【０００５】
また、「くるみ製本時などにヘッダフッタを検出して背表紙を作成する装置において、そのヘッダフッタの文字量によりフォントサイズを変更する」、「ドットインパクトプリンタにおいて印字できないフォントサイズのデータが来た場合には印字できるサイズにフォントサイズを変更する」など、ユーザの操作性を向上するための技術が提案されている（特許文献２参照）。
【特許文献１】特開平６−２７６３３７号公報
【特許文献２】特開２００１−３２０５７５号公報
【発明の開示】
【発明が解決しようとする課題】
【０００６】
しかしながら、上記従来のＭＦＰでは、例えば会議資料などの印刷を行う場合、当該資料を印刷する担当者の好みによりＮｉｎ１印刷（用紙片面にＮページ分の原稿を印刷すること）や両面印刷、またこれらの組み合わせた様々な印刷が行われる可能性があることから、会議資料の受領者又は会議出席者となるユーザのうち細かい文字等が見え難い者があるときは、配布された資料が読み辛いものになってしまうという問題がある。
【０００７】
また、会議出席者等の中には、資料の印字設定に好みがあるために会議終了後に再印刷を依頼する者もおり、二度手間となるという問題がある。
【０００８】
本発明は、上記問題に鑑みて成されたものであり、会議資料等を印刷する際に、当該資料の印刷を担当する個々のユーザにより様々な印刷設定で印刷されることなく、会議出席者等の好みに合わせて印刷することができ、視力の悪い人にも見やすい資料印刷を行うことができる画像形成装置及びその制御方法、並びにプログラムを提供することを目的とする。
【課題を解決するための手段】
【０００９】
上記目的を達成するために、請求項１記載の画像形成装置は、入力された印刷設定情報に基づいて画像を形成する画像形成装置において、前記画像形成装置のユーザ毎の印刷設定情報を登録する印刷設定情報登録手段と、前記登録された印刷設定情報に基づいて画像形成処理を行う画像形成手段と、前記登録された印刷設定情報に基づいて前記画像形成処理が行われるときは、当該形成される画像に当該印刷設定情報に対応するユーザを識別するための所定の画像を付加する画像付加手段とを備えることを特徴とする。
【００１０】
上記目的を達成するために、請求項４記載の画像形成装置は、入力された印刷設定情報に基づいて画像を形成する画像形成装置において、前記画像中の文字の最小サイズを指定する指定文字サイズ情報を少なくとも含む、前記画像形成装置のユーザ毎の印刷設定情報を登録する印刷設定情報登録手段と、前記登録された印刷設定情報に基づいて画像形成処理を行う画像形成手段と、前記画像から文字を検出し、該検出された文字の文字サイズを判定する文字サイズ判定手段と、前記判定された文字サイズと前記指定文字サイズ情報に指定された文字サイズとを比較する比較手段と、前記比較手段による比較結果に基づいて、前記登録されたユーザ毎の印刷設定情報に基づく画像形成処理を行うか否かを決定する決定手段とを備えることを特徴とする。
【００１１】
上記目的を達成するために、請求項９記載の画像形成装置の制御方法は、入力された印刷設定情報に基づいて画像を形成する画像形成装置の制御方法において、前記画像形成装置にユーザ毎の印刷設定情報を登録する印刷設定情報登録工程と、前記登録された印刷設定情報に基づいて画像形成処理を行う画像形成工程と、前記登録された印刷設定情報に基づいて前記画像形成処理が行われるときは、当該形成される画像に当該印刷設定情報に対応するユーザを識別するための所定の画像を付加する画像付加工程とを備えることを特徴とする。
【００１２】
上記目的を達成するために、請求項１０記載の画像形成装置の制御方法は、入力された印刷設定情報に基づいて画像を形成する画像形成装置の制御方法において、前記画像中の文字の最小サイズを指定する指定文字サイズ情報を少なくとも含む、前記画像形成装置のユーザ毎の印刷設定情報を登録する印刷設定情報登録工程と、前記印刷設定情報に基づいて画像形成処理を行う画像形成工程と、前記画像から文字を検出し、該検出された文字の文字サイズを判定する文字サイズ判定工程と、前記判定された文字サイズと前記指定文字サイズ情報に指定された文字サイズとを比較する比較工程と、前記比較工程での比較結果に基づいて、前記登録されたユーザ毎の印刷設定情報に基づく画像形成処理を行うか否かを決定する決定工程とを備えることを特徴とする。
【発明の効果】
【００１３】
本発明によれば、画像形成装置のユーザ毎の印刷設定情報を登録し、該登録された印刷設定情報に基づいて画像形成処理が行われるときは、当該形成される画像に印刷設定情報に対応するユーザを識別するための所定の画像を付加するので、例えば、会議資料等を印刷する際に、当該印刷を担当する担当者が変わっても異なる印刷設定で印刷されることなく、会議出席者等の好みに合わせて印刷することができ、視力の悪い人にも見やすい資料印刷を行うことができる。
【００１４】
また、本発明によれば、画像中の文字の最小サイズを指定する指定文字サイズ情報を少なくとも含む、画像形成装置のユーザ毎の印刷設定情報を登録し、登録された印刷設定情報に基づいて画像形成処理を行うときに、画像から文字を検出し、該検出された文字の文字サイズを判定し、該判定した文字サイズと指定文字サイズ情報に指定された文字サイズとを比較して、登録されたユーザ毎の印刷設定情報に基づく画像形成処理を行うか否かを決定するので、例えば、会議主催者等により縮小印刷が設定された際に、必要以上に縮小されて会議出席者等が見にくい資料が印刷出力されることがなくなり、小さい文字が見づらいユーザにとって見やすい資料印刷を行うことができる。
【発明を実施するための最良の形態】
【００１５】
以下、本発明の実施の形態を図面を参照して詳細に説明する。
【００１６】
［第１の実施の形態］
図１は、本発明の第１の実施の形態に係る画像形成装置を備えたネットワークシステムの全体構成を示すブロック図である。
【００１７】
図１において、インターネット２００はインターネット通信網である。ウェブサーバ２０１は、インターネット２００に接続されたサーバであり、インターネットユーザに特定のＷｅｂサービスを提供する。サービスプロバイダ２０４はユーザが所有又は利用するパソコン等の各種端末装置とインターネット２００との接続処理を行うサービスプロバイダである。ファイアウォール２０３は、ＬＡＮ３０００とインターネット２００等の外部通信網とを接続し、セキュリティ管理などを行う。
【００１８】
機器管理サーバ２１０は、ＬＡＮ３０００に接続された各種端末装置を管理するサーバである。ファイルサーバ２１１は、ＬＡＮ３０００上で複数のユーザが共有することができるファイルやデータを管理・保存するサーバである。パソコン２１２，２１３は、ＬＡＮ３０００に接続されたユーザ用の端末装置である。プリンタ２１４は、パソコン２１２，２１３やファイルサーバ２１１からの画像データを用紙上に印刷することができる。ＭＦＰ（Multi Function Printer）２２０は、コピー機能を有するデジタル複写機に、プリンタ機能、ＦＡＸ送受信機能、スキャン画像の送受信機能、及び電子メールの送受信機能等を加えた画像形成装置であり、主に画像の入出力機能を有する。
【００１９】
パソコン２１２，２１３は、インターネット２００を介してウェブサーバ２０１から提供された情報を閲覧したり、画像データをＭＦＰ２２０やプリンタ２１４に出力することができる。
【００２０】
ＭＦＰ２２０は、ユーザが各種の操作を行うための操作部１４０と、操作部１４０やパソコン２１２，２１３からの指示に従って原稿等の画像を読み取るスキャナ部１０と、パソコン２１２，２１３やファイルサーバ２１１からの画像データを用紙に印刷するプリンタ部２０と、コントローラユニット３０と、無線タグ（不図示）とデータの送受信を行うことができるリーダ／ライタ部６００とを備える。
【００２１】
コントローラユニット３０は、ＭＦＰ２２０全体の制御を行うと共に、操作部１４０やパソコン２１２，２１３からの指示に基づいて、スキャナ部１０やプリンタ部２０に対する画像データの入出力の制御を行う。例えば、スキャナ部１０が取り込んだ画像データを、内蔵するメモリ（不図示）に蓄積したり、当該画像データをパソコン２１２，２１３に出力したり、或いはプリンタ部２０での印刷を行う。
【００２２】
上記構成では、インターネット２００にファイアウォール２０３を介してＬＡＮ３０００が接続されているが、サービスプロバイダ２０４を介してファイアウォール２０３が接続される構成でもかまわない。
【００２３】
図２は、図１におけるＭＦＰ２２０の内部構成の概略を示す縦断面図である。
【００２４】
図２において、原稿台ガラス９０１は、原稿自動送り装置１４２から給送された原稿が順次、当該原稿台ガラス９０１上の所定位置に載置される。原稿照明ランプ９０２は、例えばハロゲンランプで構成され、原稿台ガラス９０１に載置された原稿を露光する。走査ミラー９０３，９０４，９０５は、図示しない光学走査ユニットに収容され、往復移動しながら原稿からの反射光をＣＣＤユニット９０６に導く。
【００２５】
ＣＣＤユニット９０６は、主に、原稿からの反射光をＣＣＤ（Charge Coupled Devices）に結像させる結像レンズ９０７と、ＣＣＤで構成される撮像素子９０８と、撮像素子９０８を駆動するＣＣＤドライバ９０９とで構成されている。撮像素子９０８からの画像信号出力は、例えば８ビットのデジタルデータに変換された後、コントローラユニット３０に入力される。
【００２６】
感光ドラム９１０は、前露光ランプ９１２によって画像形成に備えて除電される。１次帯電器９１３は、感光ドラム９１０を一様に帯電させる。露光装置９１７は、例えば半導体レーザー等で構成され、コントローラユニット３０で処理された画像データに基づいて感光ドラム９１０を露光し、静電潜像を形成する。現像器９１８は、黒色の現像剤（トナー）が収容されている。転写前帯電器９１９は、感光ドラム９１０上に現像されたトナー像を用紙に転写する前に高圧をかけるものである。
【００２７】
手差し給紙ユニット９２０及び給紙ユニット９２２，９２４，９４２，９４４は、各給紙ローラ９２１，９２３，９２５，９４３，９４５の駆動により、転写用紙が装置内へ給送され、レジストローラ９２６の配設位置で一旦停止し、感光ドラム９１０に形成された画像との書き出しタイミングがとられて再給送される。転写帯電器９２７は、感光ドラム９１０に現像されたトナー像を、給送されてくる転写用紙に転写する。分離帯電器９２８は、転写動作の終了した転写用紙を感光ドラム９１０より分離する。転写されずに感光ドラム９１０上に残ったトナーはクリーナ９１１によって回収される。
【００２８】
搬送ベルト９２９は、転写プロセスの終了した転写用紙を定着器９３０に搬送し、例えば熱により定着させる。フラッパ９３１は、定着プロセスの終了した転写用紙の搬送パスをソータ９３２又は中間トレイ９３７の配置方向のいずれかに制御する。給送ローラ９３３，９３４，９３５，９３６は、一度定着プロセスの終了した転写用紙を中間トレイ９３７に反転（多重）または非反転（両面）して給送する。再給送ローラ９３８は、中間トレイ９３７に載置された転写用紙を再度、レジストローラ９２６の配設位置まで搬送する。
【００２９】
コントローラユニット３０は、後述するＣＰＵ（Central Processing Unit）や画像処理部等を備え、マンマシンインターフェース装置９４０からの指示に従って上述の画像形成動作を行う。
【００３０】
図３は、図２におけるコントローラユニット３０の内部構成を示すブロック図である。
【００３１】
図３において、コントローラユニット３０は、画像入力デバイスであるスキャナ部１０や画像出力デバイスであるプリンタ部２０に接続する一方、ＬＡＮ３０００や公衆回線（ＷＡＮ）１２５１に接続することで、画像情報やデバイス情報の入出力を行う。
【００３２】
ＣＰＵ１２０１は、システム全体を制御するプロセッサである。ＲＡＭ１２０２は、ＣＰＵ１２０１が動作するためのシステムワークメモリであり、画像データを一時記憶するための画像メモリでもある。ＲＯＭ１２０３は、ブートＲＯＭであり、システムのブートプログラムが格納されている。
【００３３】
ＨＤＤ１２０４はハードディスクドライブであり、システムソフトウェア、画像データ、及びソフトウェアカウンタ値などを格納する。ソフトウェアカウンタ値は、用紙サイズ別カウンタ領域とデータ処理容量別カウンタ領域が設定されており、ＣＰＵ１２０１により処理されたデータ容量に基づき、予め設定された任意の基準容量値を基準にして算出され、カウントアップが行われる。なお、ソフトウェアカウンタ値は、ＨＤＤ１２０４内に限らず、電源が切れてもデータの記憶保持が可能ならば、図示しないＥＥＰＲＯＭ等に格納されていてもよい。
【００３４】
ＨＤＤ１２０４或いはＲＯＭ１２０３には、ＨＴＴＰ（HyperText Transfer Protocol）サーバプログラムが格納されている。ＣＰＵ１２０１がＨＴＴＰ（Ｗｅｂ）サーバプログラムを起動することにより、コントローラユニット３０がＨＴＴＰサーバとして動作することが可能になり、パソコン２１２，２１３のＷｅｂブラウザからＭＦＰ２２０へのアクセスが可能になる。なお、ＨＴＴＰサーバプログラムが提供するＷｅｂコンテンツ（ＭＦＰ２２０の操作設定画面など）は、ＨＤＤ１２０４に記憶されているものとする。
【００３５】
操作部Ｉ／Ｆ１２０６は、操作部（ＵＩ）１４０に接続されたインターフェース部であり、操作部１４０に表示する画像データを操作部１４０に対して出力する。また、操作部１４０からユーザにより入力された情報をＣＰＵ１２０１に伝える役割をする。Ｎｅｔｗｏｒｋ１２１０は、ＬＡＮ３０００に接続し、電子メールの送受信やパソコン２１３等からのＰＤＬデータの入出力を行う。Ｍｏｄｅｍ１２５０は公衆回線１２５１に接続し、情報の入出力を行う。
【００３６】
音声入出力ユニット５００は、音声をスピーカに対して出力したり、ハンドセットに対する音声の入出力の制御を行う。スキャナプリンタ通信Ｉ／Ｆ１２１６は、スキャナ部１０やプリンタ部２０内のＣＰＵ（不図示）とそれぞれ通信を行うためのＩ／Ｆである。リーダ／ライタ部６００は、無線タグのデータを受信し、システムバス１２０７を介してＣＰＵ１２０１に送信する。ＩｍａｇｅＢｕｓ Ｉ／Ｆ１２０５は、システムバス１２０７と画像バス１２０８とを接続し、データ構造を変換するバスブリッジである。
【００３７】
画像バス１２０８は、ＰＣＩバスまたはＩＥＥＥ１３９４で構成され、画像データを高速で転送する。画像バス１２０８上には以下のデバイスが配置される。ラスターイメージプロセッサ（ＲＩＰ）１２６０は、ＰＤＬコードをビットマップイメージに展開する。ラスターイメージプロセッサ（ＲＩＰ）１２６０ＰＤＬコード中の文字部分のフォントサイズの判定も行う（詳細は後述）。デバイスＩ／Ｆ部１２２０は、スキャナ部１０やプリンタ部２０とコントローラユニット３０とを接続し、画像データの同期系／非同期系の変換を行う。
【００３８】
スキャナ画像処理部１２８０は、入力画像データに対して補正、加工、及び編集を行う。また、スキャナ画像処理部１２８０は、入力画像に対する文字認識（ＯＣＲ）処理を行い、入力画像の文字部のフォントサイズの判定も行う。プリンタ画像処理部１２９０は、プリント出力画像データに対して補正、解像度変換等を行う。画像回転部１２３０は、画像データの回転を行う。画像圧縮部１２４０は、多値画像データに対してＪＰＥＧ、２値画像データに対してＪＢＩＧ、ＭＭＲ、ＭＨの圧縮伸張処理を行う。
【００３９】
タイマ１２１１は、時刻をカウントするリアルタイムクロックモジュールであり、指定時刻に割り込みを発生する機能を有し、ＦＡＸ時刻送信、スリープ設定などの時刻設定に使用される。電源供給部１３００は電源ユニットであり、ＡＣラインから供給される電力をＤＣに変換するユニットである。電源制御１２００は、コントローラユニット３０、スキャナ部１０、プリンタ部２０への電源供給の制御を行うブロックであり、電源制御１２００より電源供給部１３００を制御することにより各ブロックへの電源供給の制御が行われる。
【００４０】
本実施の形態では、会議資料の受領者又は会議出席者となるユーザが、予め印刷設定情報（お好み設定）をユーザＩＤと共にＭＦＰ２２０にユーザ情報として登録し、ＭＦＰ２２０による会議資料の印刷（コピー）時に、会議主催者又は資料配布の担当者が当該資料の印字設定、印刷部数、及びユーザＩＤを入力すると、登録されたユーザ情報に基づいて印刷が行われる。
【００４１】
図４は、ＭＦＰ２２０に対するユーザ情報の事前登録処理を示すフローチャートである。本処理は、コントローラユニット３０内のＣＰＵ１２０１により実行されるものである。
【００４２】
図４において、ＭＦＰ２２０上のＵＩである操作部１４０又はパソコン２１２等のアプリケーションが有するリモートＵＩ機能を利用し、会議資料の受領者又は会議出席者となるユーザから、ユーザ情報として当該ユーザのユーザＩＤ及びお好み設定の各情報を受け付ける（ステップＳ４０１）。本実施の形態では、ユーザＩＤは人名コードや社員番号など個々のユーザに与えられている固有ナンバーであり、例えば、ユーザＩＤ：Ａ１２３が入力されたものとする。また、お好み設定は当該ユーザが好む印刷設定であり、お好み設定：２ｉｎ１，両面が入力されたものとする。入力されたユーザ情報は、コントローラユニット３０内のＨＤＤ１２０４などの記憶部に記憶される。
【００４３】
次に、ステップＳ４０２では、ステップＳ４０１で入力されたユーザＩＤに基づいて記憶部を検索し、当該ユーザＩＤが既に登録されているか否かを判別する。この結果、ユーザＩＤが登録されていない場合には、ステップＳ４０５へ進む一方、既にユーザＩＤが登録されている場合には、上書きの可否を確認するためのメッセージを操作部１４０又はパソコン２１２等のＵＩ上に表示する（ステップＳ４０３）。メッセージとしては、例えば、「既にそのユーザＩＤは登録済みです。上書きしますか？」と表示される。
【００４４】
次に、ステップＳ４０４では、表示したメッセージに対してユーザから上書きが選択されたか否かを判別し、「上書きしない」が選択された場合には、以前登録したユーザ情報のまま、本処理を終了する一方、「上書きする」が選択された場合には、ステップＳ４０５へ進む。
【００４５】
ステップＳ４０５では、入力されたユーザＩＤ及びお好み設定を記憶部に記憶（又は上書き）し、本処理を終了する。同様に、その他に登録すべきユーザが存在する場合は、それぞれのユーザＩＤ及びお好み設定をＭＦＰ２２０に対して登録しておく。
【００４６】
図５は、ＭＦＰ２２０にて実行される印刷処理のフローチャートである。本処理は、コントローラユニット３０内のＣＰＵ１２０１により実行されるものである。
【００４７】
図５において、会議主催者等が出席者数分の会議資料をＭＦＰ２２０により印刷出力させる場合、当該ＭＦＰ２２０の操作部１４０における操作、又はパソコン２１２等のＷｅｂブラウザを利用してＭＦＰ２２０にアクセスし、当該Ｗｅｂブラウザ上に表示される設定項目を編集することにより、印刷部数、印字設定（Ｎｉｎ１、片面／両面等）、資料配布対象者のうちの所定のユーザＩＤを入力する（ステップＳ５０１）。本実施の形態では、例えば、印刷部数：１０部、印字設定：４ｉｎ１，両面、ユーザＩＤ：Ａ１２３，Ａ４５６，Ａ７８９が入力されるものとする。なお、入力するユーザＩＤについては、資料配布対象者全てのユーザＩＤを入力しても、任意の資料配付対象者のユーザＩＤのみを入力してもよい。
【００４８】
ステップＳ５０１で入力された情報は、コントローラユニット３０内のＲＡＭ１２０２に一時的に記憶される（ステップＳ５０２）。
【００４９】
次に、操作部１４０又はリモートＵＩ上のスタートボタン（不図示）が押されると、ＣＰＵ１２０１はＲＡＭ１２０２に一時記憶されている全てのユーザＩＤにそれぞれ固有ナンバーを割り振るナンバリングを行うと共に、会議主催者等により入力されたユーザＩＤの総数（ＩＤ（ｎ））を計算し、そのデータをＲＡＭ１２０２へ一時記憶する（ステップＳ５０３）。本実施の形態では、ＩＤ総数（ｎ）＝３とし、ユーザＩＤ：Ａ１２３をＩＤ（ｙ）＝１、ユーザＩＤ：Ａ４５６をＩＤ（ｙ）＝２、ユーザＩＤ：Ａ７８９をＩＤ（ｙ）＝３とする。
【００５０】
次に、ＣＰＵ１２０１は、ＲＡＭ１２０２に一時記憶されている印刷部数及びＩＤ総数（ＩＤ（ｎ））を読み出して印刷部数からＩＤ総数を減算（印刷部数−ＩＤ総数）することにより、ステップＳ５０１で入力された印字設定（４ｉｎ１，両面）での印刷部数を計算し、当該印字設定に基づく画像処理を行って印刷出力を実行する（ステップＳ５０４）。ここでは、印刷部数：１０部、ＩＤ総数（ＩＤ（ｎ））：３であることから印刷部数は１０−３＝７となり、図６に示すように、印刷処理前の元画像を画像６００に変換して７部印刷出力する。
【００５１】
次に、図４の事前登録処理により登録されたユーザ情報の中からＩＤ（ｙ）＝１のＩＤ（ここではＡ３３１４９）に対応するユーザ情報を記憶部から呼び出す（ステップＳ５０５）。ＣＰＵ１２０１は、読み出したユーザ情報の中にお好み設定があるか否かを判別し（ステップＳ５０６）、お好み設定がないときは、ステップＳ５０１で入力された印字設定（４ｉｎ１，両面）での画像処理を行い、図６の画像６００を１部印刷出力する（ステップＳ５０８）。
【００５２】
一方、ステップＳ５０６の判別の結果、お好み設定があるときは、図７の画像７００に示すように、当該お好み設定（２ｉｎ１，両面）に基づいて画像処理を行うと共に、当該ユーザ（ここではユーザＩＤ：Ａ１２３のユーザ）のお好み設定による印刷出力であることが判るように、その画像に対してユーザＩＤをスタンプして１部印刷出力する（ステップＳ５０７）。画像７００では、その右下部にＩＤ番号７０１がベイトスタンプ、即ちユーザＩＤの文字列の画像を元の印刷画像に合成して出力している。
【００５３】
次に、ＩＤ総数（ＩＤ（ｎ））から１を減算し、かつナンバリングされたＩＤ（ｙ）に１を加算した後（ステップＳ５０９）、ｎ＝０か否かを判別する（ステップＳ５１０）。この結果、ｎ＞０の場合には、ナンバリングされた他のユーザＩＤ（ＩＤ（ｙ）＝２，・・・）を更に呼び出すべく、ステップＳ５０５へ戻る一方、ｎ＝０の場合には、本処理を終了する。
【００５４】
上記処理により、会議資料の受領者又は会議出席者となるユーザに応じた印刷出力を得ることが可能となる。
【００５５】
上記第１の実施の形態によれば、ＭＦＰ２２０の操作部１４０又はパソコン２１２等を介してユーザＩＤと当該ユーザＩＤに対応するお好み設定（Ｎｉｎ１印刷、片面／両面印刷等）を事前に記憶部に登録し、当該操作部１４０等から印刷部数及び印字設定と共に入力されたユーザＩＤに応じて、記憶部に登録されたお好み設定を呼び出し、当該お好み設定に基づいて印刷出力を行うと同時に、印刷物にユーザを識別するためのユーザＩＤをベイトスタンプするので、会議資料等を印刷する際に、当該資料の印刷を担当する個々のユーザにより様々な印刷設定で印刷されることなく、会議出席者等の好みに合わせて印刷することができ、視力の悪い人にも見やすい資料印刷を行うことができる。
【００５６】
［第２の実施の形態］
本発明の第２の実施の形態は、その構成（図１〜図３）が、上記第１の実施の形態と同じであり、その説明を省略する。
【００５７】
図８は、本発明の第２の実施の形態におけるＭＦＰ２２０に対するユーザ情報の事前登録処理を示すフローチャートである。本処理は、コントローラユニット３０内のＣＰＵ１２０１により実行されるものである。
【００５８】
図８において、ＭＦＰ２２０上のＵＩである操作部１４０又はパソコン２１２等のアプリケーションが有するリモートＵＩ機能を利用し、会議資料の受領者又は会議出席者となるユーザから、ユーザ情報としてユーザＩＤ及びお好み設定の各情報を受け付ける（ステップＳ８０１）。受け付けるお好み設定では、フォントサイズの指定及び当該フォントサイズの優先順位の指定を行うことができる。このフォントサイズの指定では、ユーザが自分の視力などを考慮してこれ以上小さなフォントサイズでは読みにくいと考える最小のフォントサイズを指定することができる。本実施の形態では、例えば、ユーザＩＤ：Ａ１２３、お好み設定：２ｉｎ１，両面、フォントサイズ：８ポイント、優先順位：フォントサイズ優先が入力されたものとする。入力されたユーザ情報は、コントローラユニット３０内のＨＤＤ１２０４などの記憶部に記憶される。
【００５９】
次に、ステップＳ８０２では、ステップＳ８０１で入力されたユーザＩＤに基づいて記憶部を検索し、当該ユーザＩＤが既に登録されているか否かを判別する。この結果、ユーザＩＤが登録されていない場合には、ステップＳ８０５へ進む一方、既にユーザＩＤが登録されている場合には、上書きの可否を確認するためのメッセージを操作部１４０又はパソコン２１２等のＵＩ上に表示する（ステップＳ８０３）。メッセージとしては、例えば、「既にそのユーザＩＤは登録済みです。上書きしますか？」と表示される。
【００６０】
次に、ステップＳ８０４では、表示したメッセージに対してユーザから上書きが選択されたか否かを判別し、「上書きしない」が選択された場合には、以前登録したユーザ情報のまま、本処理を終了する一方、「上書きする」が選択された場合には、ステップＳ８０５へ進む。
【００６１】
ステップＳ８０５では、入力されたユーザＩＤ、お好み設定、フォントサイズ、及び優先順位を記憶部に記憶（又は上書き）し、本処理を終了する。同様に、その他に登録すべきユーザが存在する場合は、それぞれのユーザＩＤ、お好み設定、フォントサイズ、及び優先順位をＭＦＰ２２０に対して登録しておく。
【００６２】
図９は、ＭＦＰ２２０にて実行される印刷処理のフローチャートである。本処理は、コントローラユニット３０内のＣＰＵ１２０１により実行されるものである。
【００６３】
図９において、会議主催者等が出席者数分の会議資料をＭＦＰ２２０により印刷出力させる場合、当該ＭＦＰ２２０の操作部１４０における操作、又はパソコン２１２等のＷｅｂブラウザを利用してＭＦＰ２２０にアクセスし、該Ｗｅｂブラウザ上に表示される設定項目を編集することにより、印刷部数、印字設定（Ｎｉｎ１、片面／両面等）、資料配付対象者のユーザＩＤを入力する（ステップＳ９０１）。本実施の形態では、例えば、印刷部数：１０部、印字設定：４ｉｎ１，両面、ユーザＩＤ：Ａ１２３，Ａ４５６，Ａ７８９が入力されるものとする。なお、入力するユーザＩＤについては、資料配布対象者全てのユーザＩＤを入力しても、任意の資料配付対象者のユーザＩＤのみを入力してもよい。
【００６４】
ステップＳ９０１で入力された情報は、コントローラユニット３０内のＲＡＭ１２０２に一時的に記憶される（ステップＳ９０２）。
【００６５】
次に、操作部１４０又はリモートＵＩ上のスタートボタン（不図示）が押されると、ＣＰＵ１２０１はＲＡＭ１２０２に一時記憶されている全てのユーザＩＤに対してそれぞれ固有ナンバーを割り振るナンバリングを行うと共に、会議主催者等により入力されたユーザＩＤの総数（ＩＤ（ｎ））を計算し、そのデータをＲＡＭ１２０２へ一時記憶する（ステップＳ９０３）。本実施の形態では、ＩＤ総数（ｎ）＝３とし、ユーザＩＤ：Ａ１２３をＩＤ（ｙ）＝１、ユーザＩＤ：Ａ４５６をＩＤ（ｙ）＝２、ユーザＩＤ：Ａ７８９をＩＤ（ｙ）＝３とする。
【００６６】
次に、ＣＰＵ１２０１は、ＲＡＭ１２０２に一時記憶されている印刷部数及びＩＤ総数（ＩＤ（ｎ））を読み出して印刷部数からＩＤ総数を減算（印刷部数−ＩＤ総数）することにより、ステップＳ９０１で入力された印字設定（４ｉｎ１，両面）での印刷部数を計算し、当該印字設定に基づく画像処理を行って印刷出力を実行する（ステップＳ９０４）。ここでは、印刷部数：１０部、ＩＤ総数（ＩＤ（ｎ））：３であることから印刷部数は１０−３＝７となり、図１１に示すように、印字処理前の元画像１１０１を画像１１０２に変換して７部印刷出力する。同図における印刷出力では、印字処理前の元画像１１０１上で１２ｐｏｉｎｔの文字サイズの「あいうえお」が４ｉｎ１，両面の印刷出力をした結果、印刷処理後の画像１１０２上で６ｐｏｉｎｔ程度まで小さくなっているものとする。
【００６７】
次に、図８の事前登録処理により登録されたユーザ情報の中からＩＤ（ｙ）＝１のＩＤ（ここではＡ１２３）に対応するユーザ情報を記憶部から呼び出す（ステップＳ９０５）。ＣＰＵ１２０１は、呼び出したユーザ情報の中にお好み設定があるか否かを判別し（ステップＳ９０６）、お好み設定がないときは、ステップＳ９０１で入力された印字設定（４ｉｎ１，両面）での画像処理を行い、図１１の画像１１０２を１部印刷出力する（ステップＳ９０８）。
【００６８】
一方、ステップＳ９０６の判別の結果、お好み設定があるときは、後述する図１０のお好み設定に基づく印刷出力処理を行う（ステップＳ９０７）。
【００６９】
次に、ＩＤ総数（ＩＤ（ｎ））から１を減算し、かつナンバリングされたＩＤ（ｙ）に１を加算した後（ステップＳ９０９）、ｎ＝０か否かを判別する（ステップＳ９１０）。この結果、ｎ＞０の場合には、ナンバリングされた他のユーザＩＤ（ＩＤ（ｙ）＝２，・・・）を更に呼び出すべく、ステップＳ９０５へ戻る一方、ｎ＝０の場合には、本処理を終了する。
【００７０】
上記処理により、会議資料の受領者又は会議出席者となるユーザに応じた印刷出力を得ることが可能となる。
【００７１】
図１０は、図９のステップＳ９０７におけるお好み設定に基づく印刷出力処理の詳細を示すフローチャートである。
【００７２】
図１０において、当該お好み設定の中に印刷出力時のフォントサイズの指定があるか否かを判別する（ステップＳ１００１）。この結果、フォントサイズの指定がある場合は、ステップＳ１００２に進む一方、フォントサイズの指定がない場合には、図１２の画像１２００に示すように、図９のステップＳ９０５で記憶部から呼び出されたユーザ情報におけるお好み設定（２ｉｎ１，両面）に基づいて画像処理を行うと共に、当該ユーザ（ここではユーザＩＤ：Ａ１２３のユーザ）のお好み設定による印刷出力であることが判るように、その画像に対してユーザＩＤをスタンプして１部印刷出力する（ステップＳ１００８）。
【００７３】
画像１２００は、会議資料の受領者又は会議出席者であるユーザによりお好み設定でフォントサイズ８ｐｏｉｎｔ以上の指定がなされているときに、その指定フォントサイズに見合う文字サイズになるように画像処理が行われたものであり、ユーザＩＤとしてＩＤ番号１２０１がベイトスタンプされている。
【００７４】
ステップＳ１００２では、当該ユーザ情報から指定フォントサイズの優先順位を判別する（ステップＳ１００２）。この判別の結果、指定フォントサイズが優先されていない場合には（ステップＳ１００２でＮＯ）、ステップＳ１００８へ進む一方、指定フォントサイズが優先されている場合は、元画像の最小フォントサイズをスキャン時にスキャナ画像処理部１２８０がＯＣＲ処理した結果により又はラスターイメージプロセッサ１２６０によるＰＤＬデータ処理時に検出し（ステップＳ１００３）、その検出されたフォントサイズがユーザ情報における指定フォントサイズ（ここでは８ポイント）より小さいか否かを判別する（ステップＳ１００４）。この結果、検出されたフォントサイズが指定フォントサイズ以上である場合には、ステップＳ１００６へ進む一方、指定フォントサイズより小さい場合には、ユーザにより入力された縮小に関係する印字設定の「Ｎｉｎ１」設定（ここでは４ｉｎ１）及びお好み設定で指定された印字設定の「Ｎｉｎ１」（ここでは２ｉｎ１）を無視し、「両面」又は「片面」設定のみを有効とした印字設定に基づいて画像処理を行うと共に、当該ユーザ（ここではユーザＩＤ：Ａ１２３のユーザ）向けの印刷出力であることが判るように、その画像に対してユーザＩＤをスタンプして１部印刷出力する（ステップＳ１００５）。この結果、図１３に示すように、印字処理前の元画像１３０１が画像１３０２に変換され、画像１３０２ではその右下部にユーザＩＤとしてＩＤ番号１３０３がベイトスタンプされている。
【００７５】
ステップＳ１００６では、ステップＳ１００３で検出したフォントサイズに基づき、お好み設定で指定された印字設定（Ｎｉｎ１）で印刷出力したときのフォントサイズを計算する。つまり、検出したフォントサイズをお好み設定に基づいて変倍する。次に、その計算したフォントサイズが予め設定された指定フォントサイズ（８ポイント）未満か否かを判別する（ステップＳ１００７）。この結果、お好み設定で指定された印字設定で印刷出力した場合でも、計算したフォントサイズが予め設定された指定フォントサイズ以上である場合は（ステップＳ１００７でＮＯ）、ステップＳ１００８へ進む一方、お好み設定で指定された印字設定で印刷出力すると、計算したフォントサイズが予め設定された指定フォントサイズより小さくなってしまう場合には（ステップＳ１００７でＹＥＳ）、ステップＳ１００５へ進み、リターンする。
【００７６】
図１０のステップＳ１００６において、画像の文字部分のフォントサイズが変更されてしまう印字設定としてＮｉｎ１が例示されているが、ＭＦＰ２２０の給紙ユニットを選択することによる自動変倍によって画像のサイズが変更されて文字部分のフォントサイズが変更されるような設定や、印刷時の変倍率を変更する設定なども含まれる。
【００７７】
上記第２の実施の形態によれば、ＭＦＰ２２０の操作部１４０又はパソコン２１２等を介して、ユーザＩＤと、当該ユーザＩＤに対応するお好み設定（Ｎｉｎ１印刷、片面／両面印刷等）、フォントサイズ、及び優先順位とを事前に記憶部に登録し、当該操作部１４０等から印刷部数及び印字設定と共に入力されたユーザＩＤに応じて記憶部からお好み設定、フォントサイズ、及び優先順位を呼び出し、これらに基づいてお好み設定による印刷出力を行うか両面／片面印刷のみを行うかを判別するので、例えば、会議主催者等により縮小印刷が設定された際に、必要以上に縮小されて会議出席者等が見にくい資料が印刷出力されることがなくなり、小さい文字が見づらいユーザにとって見やすい資料印刷を行うことができる。
【００７８】
上記第１及び第２の実施の形態によれば、会議等で配布する資料を会議主催者の都合でなく、会議出席者又は資料配布対象者に応じた印刷処理を行うことにより、老眼等で細かい字が見えにくい人にも見やすい資料を印刷することができると共に、会議出席の好みの資料を提供できるので、二度手間をかけることなく印刷を行うことができる。
【００７９】
また、上記第１及び第２の実施の形態とも、社内ＬＡＮのようなネットワークに環境化において会議日程を調整する日程調整ウィザードのようなものと連携させることにより会議主催者等による出席者（ユーザ）ＩＤ入力というものを省けるので、更なるユーザインターフェイスの向上させることができる。
【００８０】
本発明の目的は、上記実施の形態の機能を実現するソフトウェアのプログラムコードを記録した記憶媒体を、システム或いは装置に供給し、そのシステム或いは装置のコンピュータ（またはＣＰＵやＭＰＵ等）が記憶媒体に格納されたプログラムコードを読み出して実行することによっても達成される。
【００８１】
この場合、記憶媒体から読み出されたプログラムコード自体が上述した実施の形態の機能を実現することになり、そのプログラムコードを記憶した記憶媒体は本発明を構成することになる。
【００８２】
また、プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ±Ｒ、ＤＶＤ−ＲＡＭ、ＤＶＤ±ＲＷ、磁気テープ、不揮発性のメモリカード等を用いることができる。または、プログラムコードをネットワークを介してダウンロードしてもよい。
【００８３】
また、コンピュータが読み出したプログラムコードを実行することにより、上記実施の形態の機能が実現されるだけでなく、そのプログラムコードの指示に基づき、コンピュータ上で稼動しているＯＳ（オペレーティングシステム）等が実際の処理の一部または全部を行い、その処理によって上述した実施の形態の機能が実現される場合も含まれる。
【００８４】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって上述した実施の形態の機能が実現される場合も含まれる。
【００８５】
また、コンピュータが読み出したプログラムコードを実行することにより、前述した各実施の形態の機能が実現されるだけでなく、そのプログラムコードの指示に基づき、コンピュータ上で稼働しているＯＳなどが実際の処理の一部または全部を行い、その処理によって前述した各実施の形態の機能が実現される場合も、本発明に含まれることは云うまでもない。
【００８６】
この場合、上記プログラムは、該プログラムを記憶した記憶媒体から直接、又はインターネット、商用ネットワーク、若しくはローカルエリアネットワーク等に接続された不図示の他のコンピュータやデータベース等からダウンロードすることにより供給される。
【００８７】
上記実施の形態では、複合装置の印刷方式を電子写真方式とした場合を例に挙げたが、本発明は、電子写真方式に限定されるものではなく、インクジェット方式、熱転写方式、感熱方式、静電方式、放電破壊方式など各種印刷方式に適用することができる。
【００８８】
上記プログラムの形態は、オブジェクトコード、インタプリタにより実行されるプログラムコード、ＯＳ（オペレーティングシステム）に供給されるスクリプトデータ等の形態から成ってもよい。
【図面の簡単な説明】
【００８９】
【図１】本発明の第１の実施の形態に係る画像形成装置を備えたネットワークシステムの全体構成を示すブロック図である。
【図２】図１におけるＭＦＰ２２０の内部構成の概略を示す縦断面図である。
【図３】図２におけるコントローラユニット３０の内部構成を示すブロック図である。
【図４】ＭＦＰ２２０に対するユーザ情報の事前登録処理を示すフローチャートである。
【図５】ＭＦＰ２２０にて実行される印刷処理のフローチャートである。
【図６】図５のステップＳ５０４及びステップＳ５０８で印刷出力される印刷結果の一例を示す図である。
【図７】図５のステップＳ５０７で印刷出力される印刷結果の一例を示す図である。
【図８】本発明の第２の実施の形態におけるＭＦＰ２２０に対するユーザ情報の事前登録処理を示すフローチャートである。
【図９】ＭＦＰ２２０にて実行される印刷処理のフローチャートである。
【図１０】図９のステップＳ９０７におけるお好み設定に基づく印刷出力処理の詳細を示すフローチャートである。
【図１１】図９のステップＳ９０４で印刷出力される印刷結果の一例を示す図である。
【図１２】図９のステップＳ９０８及び図１０のステップＳ１００８で印刷出力される印刷結果の一例を示す図である。
【図１３】図１０のステップＳ１００５で印刷出力される印刷結果の一例を示す図である。
【符号の説明】
【００９０】
１０  スキャナ部
２０  プリンタ部
３０  コントローラユニット
１４０  操作部
２１２，２１３  パソコン
２２０  ＭＦＰ
１２０１  ＣＰＵ
１２０２  ＲＡＭ
１２０４  ＨＤＤ
【図１】
2006301964.tif 000003
【図２】
2006301964.tif 000004
【図３】
2006301964.tif 000005
【図４】
2006301964.tif 000006
【図５】
2006301964.tif 000007
【図６】
2006301964.tif 000008
【図７】
2006301964.tif 000009
【図８】
2006301964.tif 000010
【図９】
2006301964.tif 000011
【図１０】
2006301964.tif 000012
【図１１】
2006301964.tif 000013
【図１２】
2006301964.tif 000014
【図１３】
2006301964.tif 000015
【手続補正書】
【提出日】平成18年5月26日(2006.5.26)
【手続補正１】
【補正対象書類名】特許請求の範囲
【補正対象項目名】全文
【補正方法】変更
【補正の内容】
【特許請求の範囲】
【請求項１】
印刷設定情報に基づいて画像を印刷する画像形成装置において、
ユーザ毎の印刷設定情報を登録する登録手段と、
前記登録された印刷設定情報に基づいて画像の印刷処理を行う印刷手段と、
前記登録された印刷設定情報に基づいて前記印刷手段により前記画像の印刷処理を行う場合、当該印刷される画像に当該印刷設定情報に対応するユーザを識別するための画像を付加する付加手段とを備えることを特徴とする画像形成装置。
【請求項２】
前記登録手段は、前記ユーザを識別するためのユーザＩＤと当該ユーザの印刷設定情報とを対応して登録することを特徴とする請求項１記載の画像形成装置。
【請求項３】
前記付加手段は、前記印刷設定情報に基づいて印刷される画像に、前記ユーザを識別するための画像として、ユーザＩＤを表す文字列を付加することを特徴とする請求項２記載の画像形成装置。
【請求項４】
画像を印刷する画像形成装置において、
印刷対象の画像の印刷指示を行う印刷指示手段と、
ユーザを識別するためのユーザ識別情報毎に印刷設定情報を登録する登録手段と、
前記登録された印刷設定情報に基づいて画像の印刷処理を行う印刷手段と、
前記ユーザ識別情報を指定する指定手段と、
前記印刷指示手段による印刷指示の際に、前記指定手段により少なくとも１つのユーザ識別情報の指定が行われた場合、前記印刷手段は、前記指定されたユーザ識別情報に対応する印刷設定情報に基づいて印刷処理を行う一方、前記指定されたユーザ識別情報に対応する印刷設定情報が登録されていないときは、所定の印刷設定情報に基づいて印刷処理を行うことを特徴とする画像形成装置。
【請求項５】
前記登録された印刷設定情報によって前記印刷処理を行う場合、当該印刷される画像に当該印刷設定情報に対応するユーザを識別するための画像を付加する付加手段をさらに備えることを特徴とする請求項４記載の画像形成装置。
【請求項６】
前記印刷指示手段は印刷設定情報を入力する入力手段をさらに含み、前記指定手段によるユーザ識別情報の指定がない場合は、前記入力手段によって入力された印刷設定情報によって、前記印刷手段による印刷処理を行うことを特徴とする請求項４又は５記載の画像形成装置。
【請求項７】
印刷設定情報に基づいて画像を印刷する画像形成装置の制御方法において、
前記画像形成装置にユーザ毎の印刷設定情報を登録する登録工程と、
前記登録された印刷設定情報に基づいて画像の印刷処理を行う印刷工程と、
前記登録された印刷設定情報に基づいて前記印刷工程により前記画像の印刷処理を行う場合、当該印刷される画像に当該印刷設定情報に対応するユーザを識別するための画像を付加する画像付加工程とを備えることを特徴とする画像形成装置の制御方法。
【請求項８】
画像を印刷する画像形成装置の制御方法において、
印刷対象の画像の印刷指示を行う印刷指示工程と、
ユーザを識別するためのユーザ識別情報毎に印刷設定情報を登録する登録工程と、
前記登録された印刷設定情報に基づいて画像の印刷処理を行う印刷工程と、
前記ユーザ識別情報を指定する指定工程と、
前記印刷指示工程における印刷指示の際に、前記指定工程により少なくとも１つのユーザ識別情報の指定が行われた場合、前記印刷工程は、前記指定されたユーザ識別情報に対応する印刷設定情報に基づいて印刷処理を行う一方、前記指定されたユーザ識別情報に対応する印刷設定情報が登録されていないときは、所定の印刷設定情報に基づいて印刷処理を行うことを特徴とする画像形成装置の制御方法。
【請求項９】
請求項７又は８記載の画像形成装置の制御方法をコンピュータに実行させるためのプログラム。
【手続補正２】
【補正対象書類名】明細書
【補正対象項目名】０００９
【補正方法】変更
【補正の内容】
【０００９】
上記目的を達成するために、請求項１記載の画像形成装置は、印刷設定情報に基づいて画像を印刷する画像形成装置において、ユーザ毎の印刷設定情報を登録する登録手段と、前記登録された印刷設定情報に基づいて画像の印刷処理を行う印刷手段と、前記登録された印刷設定情報に基づいて前記印刷手段により前記画像の印刷処理を行う場合、当該印刷される画像に当該印刷設定情報に対応するユーザを識別するための画像を付加する付加手段とを備えることを特徴とする。
【手続補正３】
【補正対象書類名】明細書
【補正対象項目名】００１０
【補正方法】変更
【補正の内容】
【００１０】
上記目的を達成するために、請求項４記載の画像形成装置は、画像を印刷する画像形成装置において、印刷対象の画像の印刷指示を行う印刷指示手段と、ユーザを識別するためのユーザ識別情報毎に印刷設定情報を登録する登録手段と、前記登録された印刷設定情報に基づいて画像の印刷処理を行う印刷手段と、前記ユーザ識別情報を指定する指定手段と、前記印刷指示手段による印刷指示の際に、前記指定手段により少なくとも１つのユーザ識別情報の指定が行われた場合、前記印刷手段は、前記指定されたユーザ識別情報に対応する印刷設定情報に基づいて印刷処理を行う一方、前記指定されたユーザ識別情報に対応する印刷設定情報が登録されていないときは、所定の印刷設定情報に基づいて印刷処理を行うことを特徴とする。
【手続補正４】
【補正対象書類名】明細書
【補正対象項目名】００１１
【補正方法】変更
【補正の内容】
【００１１】
上記目的を達成するために、請求項７記載の画像形成装置の制御方法は、印刷設定情報に基づいて画像を印刷する画像形成装置の制御方法において、前記画像形成装置にユーザ毎の印刷設定情報を登録する登録工程と、前記登録された印刷設定情報に基づいて画像の印刷処理を行う印刷工程と、前記登録された印刷設定情報に基づいて前記印刷工程により前記画像の印刷処理を行う場合、当該印刷される画像に当該印刷設定情報に対応するユーザを識別するための画像を付加する画像付加工程とを備えることを特徴とする。
【手続補正５】
【補正対象書類名】明細書
【補正対象項目名】００１２
【補正方法】変更
【補正の内容】
【００１２】
上記目的を達成するために、請求項８記載の画像形成装置の制御方法は、画像を印刷する画像形成装置の制御方法において、印刷対象の画像の印刷指示を行う印刷指示工程と、ユーザを識別するためのユーザ識別情報毎に印刷設定情報を登録する登録工程と、前記登録された印刷設定情報に基づいて画像の印刷処理を行う印刷工程と、前記ユーザ識別情報を指定する指定工程と、前記印刷指示工程における印刷指示の際に、前記指定工程により少なくとも１つのユーザ識別情報の指定が行われた場合、前記印刷工程は、前記指定されたユーザ識別情報に対応する印刷設定情報に基づいて印刷処理を行う一方、前記指定されたユーザ識別情報に対応する印刷設定情報が登録されていないときは、所定の印刷設定情報に基づいて印刷処理を行うことを特徴とする。
【手続補正６】
【補正対象書類名】明細書
【補正対象項目名】００１３
【補正方法】変更
【補正の内容】
【００１３】
本発明によれば、画像形成装置のユーザ毎の印刷設定情報を登録し、該登録された印刷設定情報に基づいて画像形成処理が行われるときは、当該形成される画像に印刷設定情報に対応するユーザを識別するための所定の画像を付加するので、例えば、会議資料等を印刷する際に、当該印刷を担当する担当者が変わっても異なる印刷設定で印刷されることなく、会議出席者等の好みに合わせて印刷することができ、視力の悪い人にも見やすい資料印刷を行うことができる。また、会議出席者に会議資料を配布する際に、どの会議出席者にどの会議資料を配布すればいいのかわかりやすい。
【手続補正７】
【補正対象書類名】明細書
【補正対象項目名】００１４
【補正方法】変更
【補正の内容】
【００１４】
また、本発明によれば、例えば、会議資料等を印刷する際に、当該印刷を担当する担当者が変わっても異なる印刷設定で印刷されることなく、会議出席者等の好みに合わせて印刷することができる。また、様々な好みに合せた多種多様の印刷を行う場合でも、印刷指示は１回行えばよい。
【手続補正８】
【補正対象書類名】明細書
【補正対象項目名】００５１
【補正方法】変更
【補正の内容】
【００５１】
次に、図４の事前登録処理により登録されたユーザ情報の中からＩＤ（ｙ）＝１のＩＤ（ここではＡ１２３）に対応するユーザ情報を記憶部から呼び出す（ステップＳ５０５）。ＣＰＵ１２０１は、読み出したユーザ情報の中にお好み設定があるか否かを判別し（ステップＳ５０６）、お好み設定がないときは、ステップＳ５０１で入力された印字設定（４ｉｎ１，両面）での画像処理を行い、図６の画像６００を１部印刷出力する（ステップＳ５０８）。
【手続補正９】
【補正対象書類名】明細書
【補正対象項目名】００７８
【補正方法】変更
【補正の内容】
【００７８】
上記第１及び第２の実施の形態によれば、会議等で配布する資料を会議主催者の都合でなく、会議出席者又は資料配布対象者に応じた印刷処理を行うことにより、老眼等で細かい字が見えにくい人にも見やすい資料を印刷することができると共に、会議出席の好みの資料を提供できるので、二度手間をかけることなく印刷を行うことができる。また、会議出席者に会議資料を配布する際に、どの会議出席者にどの会議資料を配布すればいいのかわかりやすくなる。さらに、様々な好みに合わせた多種多様の印刷を行う場合でも、印刷指示は１回行えばよい。